(57)【要約】【課題】コストの増加を抑制しつつ屋根上設置物の設置自由度を高めることが可能な支持装置を提供する。【解決手段】屋根上設置物２を支持するための支持装置１に、屋根構造体３上に載置される本体部１１、本体部１１を貫通した複数の固定孔１３、本体部１１の中央付近から上方へ円台錐状に突出した支持突部１４、及び支持突部１４を屋根の流れ方向へ貫通したベース側取付孔１５を有するベース部材１０と、支持突部１４の上端に載置される天部２１、天部２１から下方へ延出した円筒状の外周壁２２、外周壁２２を中心軸を挟んだ一組が対向するように貫通し中心軸を中心に角度を互いに異ならせた複数組の支持側取付孔２３、及び天部２１から上方へ延出し屋根上設置物２を支持する支持部２４とを有する支持部材２０とを具備させる。【選択図】図１
2013142273.tif 000002
【特許請求の範囲】
【請求項１】
屋根上に設置される屋根上設置物を屋根構造体上に支持するための支持装置であって、
屋根構造体上に載置される本体部、該本体部を上下方向へ貫通し屋根構造体に固定するための複数の固定孔、該固定孔とは異なる位置で前記本体部の中央付近から上方へ突出し外周形状が円形又は正多角形とされた支持突部、及び該支持突部の中心軸を通って貫通したベース側取付孔を有するベース部材と、
該ベース部材の前記支持突部の上端に載置される板状の天部、該天部から前記支持突部の外周を被覆可能となるように下方へ延出した筒状の外周壁、該外周壁における前記ベース部材の前記ベース側取付孔と一致可能な位置で且つ中心軸を挟んだ一組が対向するように貫通し該中心軸を中心に角度を互いに異ならせた複数組形の支持側取付孔、及び前記天部から上方へ延出し屋根上設置物を支持する支持部とを有する支持部材と
を具備することを特徴とする支持装置。
【請求項２】
前記支持部材は、
前記外周壁が、前記ベース部材の前記支持突部の外周形状に沿っていることを特徴とする請求項１に記載の支持装置。
【請求項３】
前記支持部材は、
前記支持部が、屋根上設置物の上下方向の位置を調整可能に支持することを特徴とする請求項１又は請求項２に記載の支持装置。
【請求項４】
前記ベース部材は、
前記支持突部が、上方へ向かうに従って窄まる台錐形状であることを特徴とする請求項１から請求項３までの何れか一つに記載の支持装置。
【発明の詳細な説明】
【技術分野】
【０００１】
本発明は、屋根上に設置される太陽電池モジュール等の屋根上設置物を屋根構造体上に支持するための支持装置に関するものである。
【背景技術】
【０００２】
本出願人は、従来、屋根上に設置される屋根上設置物（例えば、太陽電池モジュール、太陽熱温水器、屋根上緑化体、等）を、屋根構造体上に支持するための支持装置として、屋根構造体上に葺かれた屋根材（屋根瓦）と略同じ形状に形成された瓦面の中央部から上方へ突出した支持膨部を備えた支持瓦を提案している（特許文献１）。
【０００３】
また、屋根上設置物を支持する支持装置としては、屋根構造体上に支持され長方形状の貫通孔が形成されたカバー体と、カバー体の貫通孔に挿通されて屋根構造体に支持される挿通部を有した支持体とを備えたものが提案されている（特許文献２）。
【０００４】
これらの支持装置は、既設の屋根瓦と交換した上で、支持膨部や支持体に、屋根上設置物の下部を構成する長尺状の桟を支持させることで、屋根構造体上に屋根上設置物を支持することができるようになっている。
【発明の概要】
【発明が解決しようとする課題】
【０００５】
しかしながら、従来の支持装置では、支持装置の支持膨部や支持体に対して支持される屋根上設置物の桟の向きが縦向き（屋根の流れ方向）と決まってしまっているので、例えば、桟を、横向き（屋根の流れ方向に対して直角方向）にしたい場合や、寄棟等の屋根の斜めに沿った向きにしたい場合には、支持装置と桟との間に桟の向きを変えるための部材（金具）が別途必要となり、コストが増加する問題があると共に、施行時に手間がかかる問題があった。
【０００６】
そのため、例えば寄棟屋根のように、屋根の左右方向の稜線（隅棟）が斜めになった屋根の場合、太陽電池モジュール等の屋根上設置物の設置率を高めるために、屋根上の斜めになった部位に三角形の屋根上設置物を設置しようとすると、従来の支持装置では、上述したような問題により桟を斜めに支持するのに手間がかかったりコストがかかったりするので、三角形の屋根上設置物の斜辺を桟で支持しない状態とすると、屋根上設置物の設置強度を充分に確保することができなくなり、屋根上の所望の位置に屋根上設置物を設置することができない問題があった。
【０００７】
そこで、本発明は上記の実情に鑑み、コストの増加を抑制しつつ屋根上設置物の設置自由度を高めることが可能な支持装置の提供を課題とするものである。
【課題を解決するための手段】
【０００８】
上記の課題を解決するために、本発明に係る支持装置は、「屋根上に設置される屋根上設置物を屋根構造体上に支持するための支持装置であって、屋根構造体上に載置される本体部、該本体部を上下方向へ貫通し屋根構造体に固定するための複数の固定孔、該固定孔とは異なる位置で前記本体部の中央付近から上方へ突出し外周形状が円形又は正多角形とされた支持突部、及び該支持突部の中心軸を通って貫通したベース側取付孔を有するベース部材と、該ベース部材の前記支持突部の上端に載置される板状の天部、該天部から前記支持突部の外周を被覆可能となるように下方へ延出した筒状の外周壁、該外周壁における前記ベース部材の前記ベース側取付孔と一致可能な位置で且つ中心軸を挟んだ一組が対向するように貫通し該中心軸を中心に角度を互いに異ならせた複数組形の支持側取付孔、及び前記天部から上方へ延出し屋根上設置物を支持する支持部とを有する支持部材とを具備する」ことを特徴とする。
【０００９】
ここで、ベース部材における本体部の形状としては、一般的な屋根材（例えば、本葺き形、Ｊ形、Ｆ形、Ｓ形、スパニッシュ形、等）と同じ形状としても良いし、屋根材とは全く異なる形状（例えば、矩形平板状、円形平板状、等）としても良い。なお、本体部を一般的な屋根材と同じ形状とした場合は、屋根上設置物を支持する部位の屋根材をベース部材と交換して使用すれば良い。
【００１０】
また、ベース部材における支持突部の形状としては、外周形状つまり上下方向へ延びた中心軸に対して直角方向へ切断した断面の周形状が、円形又は正多角形であれば良く、台柱状、台錐状、等を例示することができる。また、支持突部は、中実であっても良いし、中空であっても良い。また、支持突部が中空の場合は、上端が閉鎖されていても良いし、上端が開放されていても良い。更に、支持突部の形状として、少なくとも上端縁をテーパ状に形成しても良く、支持部材の外周壁を挿入し易くすることができる。
【００１１】
更に、支持部材における外周壁としては、ベース部材の支持突部の外周形状に沿っているもの、ベース部材の支持突部の外周形状とは異なるもの、等を例示することができる。また、支持部材における支持部としては、互いに離間した一対の板片、一つの板片、等を例示することができる。
【００１２】
なお、ベース部材と支持部材との取付けは、ベース側取付孔と一組の支持側取付孔とを一致させた状態で夫々の取付孔に挿通させて取付けることができる取付部材を用いれば良い。この取付部材としては、一組の支持側取付孔とベース側取付孔を貫通する長尺のボルトを備えたもの、ベース側取付孔を雌ネジ孔とし支持側取付孔を介してベース側取付孔に螺合されるボルトを備えたもの、等を例示することができる。
【００１３】
本発明の支持装置は、ベース部材におけるベース側取付孔が貫通した支持突部の外周形状を円形又は正多角形とすると共に、支持突部に取付けられる支持部材の外周壁に複数の組の支持側取付孔を形成し、ベース側取付孔に一組の支持側取付孔を一致させて取付部材により、屋根上設置物を支持する支持部材をベース部材に取付けるようにしているので、ベース側取付孔と一致させる支持側取付孔の位置を変更することで、従来の支持装置のように別途の金具を用いなくても、支持部材の取付け向きを簡単に変更することができる。
【００１４】
これにより、本支持装置は、支持突部に形成された複数組の支持側取付孔を、予め屋根の流れ方向、屋根の横方向（流れ方向に対して直角方向）、屋根の隅棟に沿った方向（斜め方向）等の角度で形成しておくことで、例えば屋根上設置物の下部を構成する長尺状の桟を、簡単に所望の方向へ延びるように支持することができるので、例えば、三角形や菱形の屋根上設置物に対して、斜めに延びた斜辺に沿って屋根上設置物の下部を構成する桟等を支持することができ、屋根上設置物の設置強度を充分に確保することができる。つまり、本支持装置を用いることで、従来では困難であった屋根上の特定の位置にも屋根上設置物を設置することができるので、屋根上における屋根上設置物の設置率を高めることができる。
【００１５】
なお、ベース部材におけるベース側取付孔を、屋根の流れ方向へ貫通させると共に、取付部材としてボルトの頭部が棟側を向くようにベース側取付孔及び支持側取付孔に挿通させてベース部材に支持部材を取付けるようにすることが望ましい。これにより、仮にボルトに締結されたナットが脱落しても、ボルトの頭部が重力によって棟側の支持側取付孔に当接し、自然にボルトが抜けてしまうのを回避させることができるので、ベース部材に対して支持部材が上方へ移動してしまうのを阻止することができ、屋根上設置物の設置に係る信頼性を高めることができる。
【００１６】
従って、本支持装置は、屋根上における屋根上設置物の設置に係るコストが増加するのを抑制しつつ、屋根上設置物の設置自由度を高めることができる。
【００１７】
なお、ベース部材の支持突部を被覆するように支持部材を載置した時に、支持部材がベース部材に対して相対回転することができるようにした場合、支持突部に支持部材を載置した状態で支持部材を回転させて、ベース側取付孔と一組の支持側取付孔とを一致させれば良く、ベース部材に対する支持部材の取付作業を簡単に行うことができる。また、ベース部材の支持突部を正多角形とすると共に支持部材の外周壁も正多角形とし、支持突部に支持部材を載置した状態で支持部材がベース部材に対して相対回転できないようにした場合、支持突部に支持部材を載置した時点で支持部材の回転位置が位置決めされるので、ベース側取付孔と一組の支持側取付孔に取付部材を挿通させる時に、ベース側取付孔と支持側取付孔がずれてしまうのを防止することができ、ベース部材に対する支持部材の取付作業を簡単に行うことができる。
【００１８】
また、ベース部材の支持突部を柱状とした上で、支持部材の外周壁を支持突部の外周形状に沿った形状とすることが望ましく、これにより、支持突部の外周面と外周壁の内周面との隙間を略均一にすることができるので、ベース側取付孔及び支持側取付孔を通してボルト等で締結した際に、支持突部と外周壁との当り面（接触面）を増加させてお互いの取付強度を高めることができると共に、ボルト等の締め付けにより外周壁（支持部材）が変形するのを可及的に抑制することができる。
【００１９】
本発明に係る支持装置は、上記の構成に加えて、「前記支持部材は、前記外周壁が、前記ベース部材の前記支持突部の外周形状に沿っている」ことを特徴としても良い。
【００２０】
ここで、「外周形状に沿っている」とは、支持突部の上下方向へ延びた中心軸に対して直角方向へ切断した断面の周形状と相似の形状であれば良く、支持突部の周面と外周壁の周面とが、互いに沿った平行な状態であっても良いし、一方が柱状で他方が錐状のように互いに平行でない状態であっても良い。
【００２１】
ところで、支持部材の外周壁を、ベース部材における支持突部の外周形状とは異なる形状とした場合、例えば、外周壁を多角形、支持突部を円形とした場合、外周壁の内面と支持突部の外面との間が、支持突部の周方向の位置によって広くなったり狭くなったりして不均一となるので、支持部材の回転位置によってはベース側取付孔と支持側取付孔との間が広くなった位置で取付部材によって取付けなければならない場合がある。そして、ベース側取付孔と支持側取付孔との間が広い位置で取付部材により取付けると、蓋然的に、取付部材におけるベース側取付孔から支持側取付孔まで突出した距離が長くなり、その状態で支持部材が上方へ持上げられると、突出した距離が短い場合に比べて取付部材を曲げようとする力が大きく作用するので、取付部材が曲がったり破断したりする虞があり、支持部材を取付ける角度によって屋根上設置物の設置強度が変化してしまう問題がある。
【００２２】
これに対して、本支持装置は、支持部材の外周壁を、ベース部材の支持突部の外周形状と同じような形状としており、支持突部と外周壁との間を略一定とすることができるので、ベース部材の支持突部に対してどのような角度で支持部材を取付けても、ベース側取付孔から支持側取付孔へ突出した取付部材の距離が略同じとなり、支持部材を取付ける角度によって屋根上設置物の設置強度が変化してしまうのを回避させることができ、所望の位置に屋根上設置物を確実に設置することができる。
【００２３】
また、本発明に係る支持装置は、上記の構成に加えて、「前記支持部材は、前記支持部が、屋根上設置物の上下方向の位置を調整可能に支持する」ことを特徴としても良い。
【００２４】
ここで、調整可能に支持するものとしては、「支持部に上下方向に対して直角方向に貫通し屋根上設置物を支持するためのボルトを挿通させる孔を、上下方向へ延びた長孔としたもの」「支持部に上下方向に対して直角方向に貫通し屋根上設置物を支持するためのボルトを挿通させる円形の孔を、上下方向に複数列設したもの」、等を例示することができる。
【００２５】
ところで、屋根上設置物を複数の支持装置で支持するようにした場合、野地板等の屋根構造体に歪等が生じていると、各支持装置の高さが区々となってしまい屋根上設置物を正しい状態で設置することが困難となる問題が発生する。そこで、従来の支持装置では、支持装置と屋根構造体との間、或いは、支持装置と屋根上設置物との間に、薄板状のスペーサ部材を挟み込んで、各支持装置の高さを揃えるようにしていた。このため、従来では、屋根上設置物の設置に手間がかかると共に、スペーサ部材が増えてコストが高くなる問題があった。
【００２６】
これに対して、本支持装置は、支持部材の支持部において屋根上設置物を支持する高さを調整することができるので、別途のスペーサ部材を用いる必要がなく部品点数を少なくすることができると共に、スペーサ部材を挟む手間を簡略化することができ、屋根上設置物の設置に係るコストを低減させることができる。
【００２７】
また、上述したように、本支持装置は、屋根上設置物を支持する高さを調整することができるので、平面状でない屋根にも対応することが可能となり、従来では設置できなかったような形状の屋根にも屋根上設置物を設置することができ、屋根上設置物の設置自由度を高めることができる。
【００２８】
更に、本支持装置は、支持部材の支持部において屋根上設置物を支持する高さを調整することができるので、ベース部材を屋根構造体上に固定する時に、ベース部材の高さ位置を厳密に固定しなくても良く、屋根構造体への支持装置の固定作業を簡略化してコストを低減させることができる。
【００２９】
更に、本発明に係る支持装置は、上記の構成に加えて、「前記ベース部材は、前記支持突部が、上方へ向かうに従って窄まる台錐形状である」ことを特徴としても良い。
【００３０】
これにより、本支持装置は、ベース部材の支持突部を台錐形状としているので、支持部材における筒状の外周壁を支持突部の上側から挿入し易くすることができる。従って、本支持装置は、ベース部材に対して支持部材を取付け易くすることができ、作業性を高めて短納期に対応させることができると共に、屋根上設置物の設置に係るコストを低減させることができる。
【００３１】
また、本支持装置は、ベース部材の支持突部を台錐形状としているので、ベース部材をダイカストや鋳造のように成形型を用いて製造した場合、ベース部材の型抜き（脱型）を行い易くすることができ、製造に係る手間を軽減させることができる他に、成形型の型割り等が複雑になるのを回避させて比較的簡単な構造の成形型とすることができ、支持装置の製造に係るコストを低減させることができる。
【発明の効果】
【００３２】
このように、本発明によれば、コストの増加を抑制しつつ屋根上設置物の設置自由度を高めることが可能な支持装置を提供することができる。
【図面の簡単な説明】
【００３３】
【図１】本発明の一実施形態である支持装置を分解して示す斜視図である。
【図２】図１の支持装置を屋根構造体上に固定した状態を示す斜視図である。
【図３】図１の支持装置を用いて屋根上設置物を支持した状態を示す断面図である。
【図４】図２とは異なる向きに支持部材を取付けた状態を示す斜視図である。
【図５】図２とは更に異なる向きに支持部材を取付けた状態を示す斜視図である。
【図６】図１とは異なる形態の支持装置を用いて屋根上設置物を支持した状態を示す断面図である。
【発明を実施するための形態】
【００３４】
本発明の一実施形態である支持装置１について、図１乃至図５を参照して詳細に説明する。本実施形態の支持装置１は、屋根上に設置される太陽電池モジュールや太陽熱温水器、屋根上緑化体等の屋根上設置物２を、屋根構造体３上に支持するためのものである。ここで、本実施形態で例示する屋根構造体３は、垂木（図示は省略）の上面に取付けられた野地板３ａと、野地板３ａの上面に敷設され防水性能を有したシート状の被覆部材３ｂと、被覆部材３ｂの上側から屋根の流れ方向に対して所定間隔で野地板３ａに取付けられる棒状の桟木３ｃとを備えている。屋根構造体３の桟木３ｃは、図３に示すように、屋根材４における下面の棟側端部から下方へ突出した突起部４ａを係止させるためのものである。なお、図示は省略するが、屋根構造体３上には、桟木３ｃに係止された屋根材４が、釘等によって留め付けられている。
【００３５】
本例の支持装置１は、図１等に示すように、屋根構造体３上に載置された上で所定の固定ビス５によって固定されるベース部材１０と、ベース部材１０上に取付けられ屋根上設置物２の下部を構成する長尺状の桟２ａを支持する支持部材２０と、支持部材２０をベース部材１０に取付けるための取付部材３０とを備えている。この支持装置１は、図３に示すように、ベース部材１０が、屋根構造体３上に取付けられた補強部材６を介して固定されている。この補強部材６は、図示は省略するが、屋根の横方向（屋根の流れ方向に対して直角方向）の長さが、一つの屋根材４における横方向の長さよりも長い帯板状に形成されている。
【００３６】
支持装置１のベース部材１０は、屋根構造体３上に載置される本体部１１と、本体部１１の上面の所定位置から上方へ突出した複数（本例では四つ）のボス部１２と、ボス部１２の中心を上下方向へ貫通し屋根構造体３に固定するための複数の固定孔１３と、固定孔１３及びボス部１２とは異なる位置で本体部１１の中央付近から上方へ突出し外周形状が円形とされた支持突部１４と、支持突部１４の中心軸を通り屋根の流れ方向へ貫通したベース側取付孔１５とを備えている。
【００３７】
また、ベース部材１０は、図３に示すように、本体部１１の下面における棟側端部から下方へ膨出した棟側脚部１６と、棟側脚部１６の棟側端部から下方へ突出した突起部１７と、本体部１１の下面における中央よりも軒側の位置から下方へ延出した軒側脚部１８とを更に備えている。
【００３８】
ベース部材１０の本体部１１は、本例ではＦ形（平瓦）の屋根材４と略同じ形状に形成されている。また、ベース部材１０の複数のボス部１２は、本体部１１の中央を中心とした所定半径の円周上に略等間隔で配置されている。また、ボス部１２は、本体部１１の上面に対して直角方向へ延びた軸線を中心とした円台錐状に形成されている。ベース部材１０の固定孔１３は、ボス部１２の軸線上に配置され、固定ビス５のネジ部が通過可能な大きさに形成されている。
【００３９】
ベース部材１０の支持突部１４は、棟側脚部１６と軒側脚部１８の下端同士を結んだ線（屋根構造体３における野地板３ａの上面と略平行な線）に対して直角方向へ延びた中心軸を中心とした円台錐状に形成されている。また、支持突部１４は、ボス部１２よりも大径で、上方へ高く突出しており、上端が平坦状に形成されている。なお、本例では、図３に示すように、支持突部１４が中空に形成されていると共に、上端が閉鎖されており、ベース部材１０の下側へ雨水等が浸入しない構造となっている。また、ベース部材１０のベース側取付孔１５は、屋根の流れ方向で棟側脚部１６と軒側脚部１８の下端同士を結んだ線に対して略平行な方向に貫通している。
【００４０】
また、支持装置１の支持部材２０は、ベース部材１０の支持突部１４の上端に載置される板状の天部２１と、天部２１の外周端から支持突部１４の外周を被覆可能となるように下方へ延出した筒状の外周壁２２と、外周壁２２を貫通した複数の支持側取付孔２３と、天部２１から上方へ延出し屋根上設置物２の桟２ａを支持可能とされた支持部２４とを備えている。
【００４１】
支持部材２０の天部２１は、ベース部材１０における支持突部１４の下端付近の外径よりも大径の円盤状に形成されている。また、支持部材２０の外周壁２２は、円筒状とされており、図３に示すように、天部２１を支持突部１４の上端に載置した状態で本体部１１の上面に下端が接触しない位置まで下方へ延出している。
【００４２】
更に、支持部材２０の支持側取付孔２３は、天部２１をベース部材１０の支持突部１４の上端に載置した時に、ベース側取付孔１５と同じ高さとなる位置で、天部２１の中心軸を通るように一方側から他方側へ外周壁２２を貫通している。本例の支持側取付孔２３は、天部２１の中心軸を挟んで対向したもの同士を一組とし、天部２１の中心軸を中心に互いに角度を異ならせた複数組が形成されている。本例では、４５度ずつ角度を異ならせた四組の支持側取付孔２３が形成されている。
【００４３】
また、支持部材２０の支持部２４は、屋根上設置物２の桟２ａを挿入可能な間隔で配置された一対の板状部材によって構成されている。この支持部２４は、一対の板状部材が支持側取付孔２３における所定の一組が対向した方向と同じ方向へ延びるように形成されている。また、支持部２４は、板状部材の中央に上下方向へ延びる長孔状に貫通した支持孔２４ａと、支持孔２４ａの両側で板状部材の上端両隅に穿設された貫通孔２４ｂとを備えている。
【００４４】
更に、支持装置１の取付部材３０は、支持部材２０における一組の支持側取付孔２３を貫通する長さの雄ネジ部を有したボルト３１と、ボルト３１の雄ネジ部に螺合されるナット３２とを備えている。また、取付部材３０は、ボルト３１の雄ネジ部に挿通される座金３２及びバネ座金３３を備えている。
【００４５】
本例の支持装置１は、ベース部材１０がアルミニウム合金等によって一体的に形成されていると共に、支持部材２０がステンレス板等によって一体的に形成されている。なお、図１及び図３では、ベース部材１０における台錐形状の支持突部１４の傾斜を、誇張して記載しているが、型抜きが可能な程度に傾斜していれば良い。
【００４６】
次に、本実施形態の支持装置１を用いた屋根上設置物２の設置方法について説明する。まず、板状の補強部材６を、屋根構造体３上における屋根上に設置される屋根上設置物２の桟２ａを支持する位置に、ビス等によって取付ける。なお、既に屋根構造体３上に屋根材４が敷設されている場合は、該当する位置と、その左右両側の位置の屋根材４を、屋根構造体３から取外して、補強部材６を屋根構造体３上に取付ける。
【００４７】
屋根構造材３上に補強部材６を取付けたら、支持装置１におけるベース部材１０の棟側脚部１６を桟木３ｃ上に載置すると共に、軒側脚部１８を補強部材６上に載置する。そして、ベース部材１０を軒側へスライドさせて突起部１７を桟木３ｃの棟側端部に係止させる。この状態で、ベース部材１０の軒側先端と、軒側に配置された屋根材４の上面との間に所定量の隙間（例えば、３ｍｍ〜５ｍｍ）が形成されている場合は、ベース部材１０の上側から固定孔１３を通して固定ビス５を屋根構造体３上にねじ込んで、ベース部材１０を屋根構造体３に固定する。
【００４８】
一方、ベース部材１０の軒側先端が、軒側に配置され屋根材４の上面に接触、又は上面との間の隙間が所定量以下（例えば、３ｍｍ以下）の場合は、図３に示すように、軒側脚部１８の下側に棟側から楔状の調整部材７を挿入し、ベース部材１０の軒側先端と軒側の屋根材４との間に所定量の隙間が形成されるように、ベース部材１０の高さを調整した後に、固定孔１３を通して固定ビス５でベース部材１０を屋根構造体３に固定する。これにより、ベース部材１０を介して支持部材２０からの屋根上設置物２の荷重が、軒側の屋根材４に作用するのを防止することができ、荷重によって軒側の屋根材４が破損するのを回避させることができる。
【００４９】
ベース部材１０を屋根構造体３に固定したら、ベース部材１０の支持突部１４に支持部材２０の筒状の外周壁２２を挿入し、天部２１の下面を支持突部１４の上端に載置させる。そして、支持部材２０をベース部材１０に対して相対回転させ、一対の板状部材からなる支持部２４を所望の向き（本例では、屋根の流れ方向に沿った向き）に位置させる。これにより、支持部材２０における支持部２４と同じ方向に貫通した一組の支持側取付孔２３が、ベース部材１０のベース側取付孔１５と略一致した状態となる。
【００５０】
そして、一組の支持側取付孔２３とベース側取付孔１５とを一致させた状態で、取付部材３０のボルト３１を棟側から支持側取付孔２３及びベース側取付孔１５に挿通させて、軒側の支持側取付孔２３から突出したボルト３１の先端にナット３２を螺合することで、ベース部材１０に支持部材２０が取付けられた状態となる（図２を参照）。なお、ボルト３１及びナット３２を螺合させる際に、支持側取付孔２３の棟側及び軒側に、座金３３やバネ座金３４を適宜挿通させてナット３２により締結する。また、取付部材３０で取付ける時に、ベース側取付孔１５とボルト３１との間を所定の防水部材でシールすることが望ましく、これにより、ベース側取付孔１５を介してベース部材１０の下側へ雨水等が浸入するのを確実に防止することができる。
【００５１】
屋根構造体３上への支持装置１の取付け、及び屋根材４の敷設が完了したら、支持装置１における支持部材２０の天部２１から上方へ延出した一対の支持部２４の間に、屋根上設置物２の下部を構成する長尺状の桟２ａを挿入する。そして、桟２ａの側面の溝内に挿入されたナット（図示は省略）に対して、支持部２４の外側から支持孔２４ａを通してボルト８を捩じ込むことで、支持部２４によって桟２ａを屋根の流れ方向と同じ方向へ延びるように支持することができる（図３を参照）。
【００５２】
なお、支持部２４における支持孔２４ａは、上下方向へ延びた長孔とされているので、この長孔の範囲内で桟２ａの高さ位置を調整することができるようになっている。また、図示は省略するが、支持部２４に桟２ａを支持させた後に、支持部２４の貫通孔２４ｂを通して所定のビスを桟２ａに捩じ込むことで、支持部２４に対して桟２ａを移動不能に固定することができ、何らかの原因によりボルト８が脱落しても直ちに大きな不具合が発生するのを防止することができ、支持装置１の信頼性を高められるようになっている。
【００５３】
また、上述では、支持部材２０により桟２ａを屋根の流れ方向へ延びた状態で支持したものを示したが、図４に示すように、支持部材２０を９０度回転させて桟２ａを流れ方向に対して直角方向へ延びるように支持したり、図５に示すように、支持部材２０を４５度回転させて桟２ａを流れ方向に対して斜め方向へ延びるように支持したりすることができるようになっている。
【００５４】
本例の支持装置１は、何れの角度で桟２ａを支持する場合でも、ベース部材１０のベース側取付孔１５に対して、一組の支持側取付孔２３が一致するようになっているので、桟２ａを支持したい所望の方向と対応した一組の支持側取付孔２３をベース側取付孔１５と一致させた上で取付部材３０のボルト３１を挿通して取付けるだけで、簡単に桟２ａを所望の方向へ支持することができるようになっている。
【００５５】
このように、本実施形態の支持装置１によると、ベース部材１０の支持突起１４を貫通したベース側取付孔１５と一致させる支持部材２０の支持側取付孔２３の位置を変更することで、従来の支持装置のように別途の金具を用いなくても、支持部材２０（支持部２４）の取付け向きを簡単に変更することができ、屋根上設置物２の下部を構成する長尺状の桟２ａを、簡単に所望の方向へ延びるように支持することができる。これにより、例えば、三角形や菱形の屋根上設置物２に対して、斜めに延びた斜辺に沿って屋根上設置物２の下部を構成する桟２ａを支持することができ、屋根上設置物２の設置強度を充分に確保することができる。従って、本例の支持装置１を用いることで、従来では困難であった屋根上の特定の位置にも屋根上設置物２を設置することができるので、屋根上における屋根上設置物２の設置率を高めることができる。
【００５６】
また、本例の支持装置１は、ベース部材１０と支持部材２０との取付けを、屋根の流れ方向へ貫通したベース側取付孔１５に対して、取付部材３０のボルト３１を棟側から挿通させて取付けているので、何らかの理由によりナット３２が脱落してもボルト３１の頭部が重力によって棟側の支持側取付孔２３に当接し、自然にボルト３１が抜けてしまうのを回避させることができ、屋根上設置物２の設置に係る信頼性を高めることができる。
【００５７】
更に、本例の支持装置１は、支持部材２０の外周壁２２を、ベース部材１０の支持突部１４の外周形状と同じ円形状としており、支持突部１４と外周壁２２との間を略一定とすることができるので、ベース部材１０の支持突部１４に対してどのような角度で支持部材２０を取付けても、ベース側取付孔１５から支持側取付孔２３へ突出した取付部材３０におけるボルト３１の距離が略同じとなり、支持部材２０を取付ける角度によって屋根上設置物２の設置強度が変化してしまうのを回避させることができ、所望の位置に屋根上設置物２を確実に設置することができる。
【００５８】
また、本例の支持装置１は、支持部材２０の支持部２４において上下方向へ延びた長孔状の支持孔２４ａにより屋根上設置物２を支持する高さを調整することができるので、別途のスペーサ部材を用いる必要がなく部品点数を少なくすることができると共に、スペーサ部材を挟む手間を簡略化することができ、屋根上設置物２の設置に係るコストを低減させることができる。
【００５９】
また、本例の支持装置１は、支持部材２０の支持部２４において屋根上設置物２を支持する高さを調整することができるので、平面状でない屋根にも対応することが可能となり、従来では設置できなかったような形状の屋根にも屋根上設置物２を設置することができ、屋根上設置物２の設置自由度を高めることができる。
【００６０】
更に、本例の支持装置１は、ベース部材１０の支持突部１４を円台錐形状としているので、支持部材２０における筒状の外周壁２２を支持突部１４の上側から挿入し易くすることができる。従って、ベース部材１０に対して支持部材２０を取付け易くすることができ、作業性を高めて短納期に対応させることができると共に、屋根上設置物２の設置に係るコストを低減させることができる。
【００６１】
また、本例の支持装置１は、支持突部１４を台錐形状としているので、ベース部材１０をダイカストや鋳造のように成形型を用いて製造した場合、ベース部材１０の型抜き（脱型）を行い易くすることができ、製造に係る手間を軽減させることができる他に、成形型の型割り等が複雑になるのを回避させて比較的簡単な構造の成形型とすることができ、支持装置１の製造に係るコストを低減させることができる。
【００６２】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６３】
例えば、上記の実施形態では、支持装置１におけるベース部材１０の支持突部１４や支持部材２０の外周壁２２を、外周形状が円形状のものを示したが、これに限定するものではなく、正多角形状としても良く、上記と同様の作用効果を奏することができる。
【００６４】
また、上記の実施形態では、支持装置１におけるベース部材１０の支持突部１４を、台錐形状に突出したものを示したが、これに限定するものではなく、台柱状に突出したものでも良い。なお、支持突部１４の形状を台柱状とした場合は、支持部材２０の外周壁２２を支持突部１４の外周形状に沿った形状とすることが望ましく、上記と同様の作用効果を奏することができる他に、支持突部１４と外周壁２２との当り面（接触面）を増加させてお互いの取付強度を高めることができると共に、ボルト３１・ナット３２の締め付けにより外周壁２２（支持部材２０）が変形するのを可及的に抑制することができる。
【００６５】
また、上記の実施形態では、支持装置１におけるベース部材１０の本体部１１を、屋根材４と略同じ形状のものとし、屋根材４の代替となるものを示したが、これに限定するものではなく、屋根材４とは全く異なる形状としても良い。
【００６６】
更に、上記の実施形態では、支持装置１におけるベース部材１０に軒側脚部１８を備えたものを示したが、これに限定するものではなく、例えば、図６に示すように、軒側脚部１８に替えて高さ調整機構４０を備えたものとしても良い。具体的に説明すると、この支持装置１の高さ調整機構４０は、本体部１１における支持突部１４よりも軒側の位置で上下方向に貫通した雌ネジ部４１と、雌ネジ部４１に上側から螺合され下端が屋根構造体３（補強部材６）上に当接可能な脚ボルト４２と、脚ボルト４２の中心を貫通し固定ビス５を挿通可能な挿通孔４２とを備えている。
【００６７】
ところで、図３に示す支持装置１では、ベース部材１０における本体部１１の軒側先端が軒側の屋根材４と接触しないように、所定量の隙間を形成させる際に、楔状の調整部材７を軒側脚部１８の下側に挿入して高さを調整するようにしているので、蓋然的に、高さ調整を本体部１１の下側で行わなければならず、作業性に手間がかかる問題がある。これに対して、図６の支持装置１では、雌ネジ部４１に螺合された脚ボルト４２を本体部１１の上側から回転させることで、本体部１１の下面から下方へ延出した脚ボルト４２の長さを変化させることができるので、本体部１１の上側から高さ調整を行うことができる。従って、支持装置１の固定にかかる作業性を向上させることができ、屋根上設置物２の設置に係るコストを低減させることができる。
【００６８】
また、図６の支持装置１では、脚ボルト４２を貫通した挿通孔４３を通して固定ビス５を屋根構造体３へねじ込むようにしているので、脚ボルト４２が固定ビス５で押えつけられることで脚ボルト４２が自然に回転するのを防止することができ、ベース部材１０の固定後に高さが変化して不具合が発生するのを防止することができる。なお、脚ボルト４２における雌ネジ部４１よりも上側にロックナットを螺合させても良い。
【符号の説明】
【００６９】
１  支持装置
２  屋根上設置物
３  屋根構造体
４  屋根材
５  固定ビス
６  補強部材
７  調整部材
８  ボルト
１０  ベース部材
１１  本体部
１２  ボス部
１３  固定孔
１４  支持突部
１５  ベース側取付孔
１６  棟側脚部
１７  突起部
１８  軒側脚部
２０  支持部材
２１  天部
２２  外周壁
２３  支持側取付孔
２４  支持部
２４ａ  支持孔
２４ｂ  貫通孔
３０  取付部材
４０  高さ調整機構
【先行技術文献】
【特許文献】
【００７０】
【特許文献１】特許第３４５０１２３号公報
【特許文献２】特開２００４−２７８１１０号公報
【図１】
2013142273.tif 000003
【図２】
2013142273.tif 000004
【図３】
2013142273.tif 000005
【図４】
2013142273.tif 000006
【図５】
2013142273.tif 000007
【図６】
2013142273.tif 000008